(57)【特許請求の範囲】
【請求項１】
遊技が可能な遊技機であって、
遊技媒体が流下する流下領域を形成する盤面板と、
前記盤面板に設けられる複数の構造物と、
前記盤面板に形成される孔部と、を備え、
前記複数の構造物は、それぞれ、前記流下領域を流下する遊技媒体に接触可能に配置され、前記盤面板に取付けるための取付部を有し、
前記複数の構造物のうち特定の構造物は、他の構造物に比べて遊技媒体との接触頻度が高く、
前記特定の構造物は、第１構造物と第２構造物とを含み、
前記第１構造物は、前記第２構造物に比べて遊技媒体との接触頻度が高く、
前記特定の構造物のうち前記第１構造物の前記取付部は、前記盤面板に前記特定の構造物を設けた状態において前記盤面板の前面側であって前記流下領域以外の非流下領域に配置されて前記流下領域に配置されず、
前記特定の構造物は、前記流下領域と前記非流下領域とを区画する区画壁部と、前記取付部から前記盤面板の後側に向けて屈曲して形成される後壁部と、を有し、
前記特定の構造物が前記孔部に挿入されて前記盤面板に取り付けられたとき、前記孔部の内周面と前記後壁部の外周面との間に隙間が形成されており、
前記非流下領域は、前記区画壁部により囲まれている、
ことを特徴とする遊技機。
【発明の詳細な説明】
【技術分野】
【０００１】
本発明は、遊技が可能な遊技機に関する。
【背景技術】
【０００２】
遊技機としてのパチンコ遊技機等にあっては、一般的に、発射装置により打ち込まれた遊技媒体が流下する流下領域を形成する盤面板を備えており、この盤面板には、複数の障害釘や、遊技媒体が入賞可能な入賞口を形成する入賞装置等の構造物が設けられている。
【０００３】
この種の構造物を備える遊技機において、盤面板において流下領域を形成する遊技盤面に板状の取付部を配置し、該取付部に取付けたネジ等を盤面板に止着することにより構造物を盤面板に設けたもの等があった（例えば、特許文献１参照）。
【先行技術文献】
【特許文献】
【０００４】
【特許文献１】特開２０１４−８３２２６号公報
【発明の概要】
【発明が解決しようとする課題】
【０００５】
上記特許文献１に記載の遊技機では、取付部が遊技盤面に配置されることで遊技盤面と取付部との間に段差等が形成され、これにより流下領域を流下する遊技媒体に悪影響を及ぼす虞があるという問題があった。
【０００６】
本発明は、このような問題点に着目してなされたもので、遊技媒体の流下に影響を与えることがないように構造物を盤面板に設けることができる遊技機を提供することを目的とする。
【課題を解決するための手段】
【０００７】
（Ａ）前記課題を解決するために、本発明の遊技機は、
遊技が可能な遊技機（例えば、パチンコ遊技機１）であって、
遊技媒体（例えば、遊技球Ｐ）が流下する流下領域（例えば、流下領域Ｚ）を形成する盤面板（例えば、盤面板２００）と、
前記盤面板に設けられる複数の構造物（例えば、センター飾り枠５１、第１誘導部材ユニット３００、第２誘導部材ユニット３０１、第３誘導部材ユニット３０２）と、
前記盤面板に形成される孔部と、を備え、
前記複数の構造物は、それぞれ、前記流下領域を流下する遊技媒体に接触可能に配置され、前記盤面板に取付けるための取付部（例えば、取付壁部５０２、取付壁部３１２、取付壁部３５２、取付孔５１０、３２０、３６０）を有し、
前記複数の構造物のうち特定の構造物（例えば、センター飾り枠５１）は、他の構造物に比べて遊技媒体との接触頻度が高く、
前記特定の構造物は、第１構造物と第２構造物とを含み、
前記第１構造物は、前記第２構造物に比べて遊技媒体との接触頻度が高く、
前記特定の構造物のうち前記第１構造物の前記取付部は、前記盤面板に前記特定の構造物を設けた状態において前記盤面板の前面側（遊技者に対向する側）であって前記流下領域以外の非流下領域に配置されて前記流下領域に配置されず（例えば、取付壁部５０２は、センター飾り枠５１が盤面板２００に取付けられた状態において、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域）に該遊技盤面２００Ａに沿うように配置されている。）、
前記特定の構造物は、前記流下領域と前記非流下領域とを区画する区画壁部と、前記取付部から前記盤面板の後側に向けて屈曲して形成される後壁部と、を有し、
前記特定の構造物が前記孔部に挿入されて前記盤面板に取り付けられたとき、前記孔部の内周面と前記後壁部の外周面との間に隙間が形成されており、
前記非流下領域は、前記区画壁部により囲まれている、
ことを特徴としている。
（Ｂ）前記課題を解決するために、本発明の手段１の遊技機は、
遊技が可能な遊技機（例えば、パチンコ遊技機１）であって、
遊技媒体（例えば、遊技球Ｐ）が流下する流下領域（例えば、流下領域Ｚ）を形成する盤面板（例えば、盤面板２００）と、
前記盤面板に設けられる構造物（例えば、センター飾り枠５１、第１誘導部材ユニット３００、第２誘導部材ユニット３０１、第３誘導部材ユニット３０２）と、
を備え、
前記構造物は、前記流下領域を流下する遊技媒体に接触可能に配置され、前記盤面板に取付けるための取付部（例えば、取付壁部５０２、取付壁部３１２、取付壁部３５２、取付孔５１０、３２０、３６０）を有し、
前記取付部は、前記盤面板に前記構造物を設けた状態において前記流下領域以外の個所に配置される（例えば、取付壁部５０２は、センター飾り枠５１が盤面板２００に取付けられた状態において、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域）に該遊技盤面２００Ａに沿うように配置されている。また、取付壁部３１２は、第１誘導部材ユニット３００が盤面板２００に取付けられた状態において、盤面板２００の背面２００Ｂ、つまり、流下領域以外の個所（遊技盤面２００Ａ以外の個所）である盤面板２００の背面２００Ｂに沿うように配置されている。また、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。）
ことを特徴としている。
この特徴によれば、構造物を盤面板に取付けるための取付部に遊技媒体が接触して流下に影響を及ぶことを防止できる。
【０００８】
本発明の手段２の遊技機は、手段１に記載の遊技機であって、
前記盤面板（例えば、盤面板２００）に形成される貫通孔（例えば、第２孔部２０２）を備え、
前記構造物（例えば、第１誘導部材ユニット３００）は、前記盤面板において前記流下領域を形成する遊技盤面と反対側の裏面（例えば、背面２００Ｂ）から前記貫通孔に挿入することにより該盤面板に設けられ、
前記取付部は、前記盤面板に前記構造物を設けた状態において前記遊技盤面以外の個所に配置される（例えば、取付壁部３１２は、第１誘導部材ユニット３００が盤面板２００に取付けられた状態において、盤面板２００の背面２００Ｂ、つまり、流下領域以外の個所（遊技盤面２００Ａ以外の個所）である盤面板２００の背面２００Ｂに沿うように配置されている。）
ことを特徴としている。
この特徴によれば、構造物を盤面板に取付けるための取付部に遊技媒体が接触して流下に影響を及ぶことを防止できる。また、遊技盤面に取付部の配置スペースを確保する必要がないので、流下領域の設計自由度が向上する。
【０００９】
本発明の手段３の遊技機は、手段１または２に記載の遊技機であって、
前記構造物（例えば、センター飾り枠５１）は、前記盤面板（例えば、盤面板２００）において前記流下領域（例えば、流下領域Ｚ）を形成する遊技盤面（例えば、遊技盤面２００Ａ）に対し突出する突出部（例えば、前壁部５０１）を有し、
前記取付部は、前記突出部から遊技盤面に沿うように延設され、前記盤面板に前記構造物を設けた状態において前記突出部により前記遊技盤面に形成される遊技媒体が流下しない非流下領域に配置される（例えば、取付壁部５０２は、センター飾り枠５１が盤面板２００に取付けられた状態において、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域）に該遊技盤面２００Ａに沿うように配置されている。）
ことを特徴としている。
この特徴によれば、構造物を盤面板に取付けるための取付部に遊技媒体が接触して流下に影響を及ぶことを防止できる。
【００１０】
本発明の手段４の遊技機は、手段１〜３のいずれかに記載の遊技機であって、
前記構造物（例えば、第２誘導部材ユニット３０１）は、前記盤面板（例えば、盤面板２００）において前記流下領域（例えば、流下領域Ｚ）を形成する遊技盤面（例えば、遊技盤面２００Ａ）に対し突出する突出部（例えば、突出部３５１）を有し、
前記取付部は、前記突出部の外周面の内側に設けられ、前記盤面板に前記構造物を設けた状態において該突出部に形成される遊技媒体が流下しない非流下領域に配置される（例えば、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。）
ことを特徴としている。
この特徴によれば、構造物を盤面板に取付けるための取付部に遊技媒体が接触して流下に影響を及ぶことを防止できる。
【００１１】
本発明の手段５の遊技機は、手段１〜４のいずれかに記載の遊技機であって、
前記構造物は、第１構造物（例えば、第１誘導部材ユニット３００）と該第１構造物に隣接する第２構造物（例えば、第２誘導部材ユニット３０１）とを含み、
前記第１構造物の取付部は、前記盤面板に前記構造物を設けた状態において前記遊技盤面以外の個所に配置され（例えば、取付壁部３１２は、第１誘導部材ユニット３００が盤面板２００に取付けられた状態において、盤面板２００の背面２００Ｂ、つまり、流下領域以外の個所（遊技盤面２００Ａ以外の個所）である盤面板２００の背面２００Ｂに沿うように配置されている。）、
前記第２構造物の取付部は、前記盤面板に前記構造物を設けた状態において該第２構造物により形成される遊技媒体が流下しない非流下領域に配置される（例えば、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。）
ことを特徴としている。
この特徴によれば、複数の構造物を隣接して配置できるとともに、各構造物を盤面板に取付けるための取付部に遊技媒体が接触して流下に影響を及ぶことを防止できる。
【００１２】
本発明の手段６の遊技機は、手段１〜５のいずれかに記載の遊技機であって、
前記盤面板（例えば、盤面板２００）に形成される貫通孔（例えば、第２孔部２０２）を備え、
前記構造物は、第１構造物（例えば、第１誘導部材ユニット３００）と該第１構造物に隣接する第２構造物（例えば、第２誘導部材ユニット３０１）とを含み、
前記第１構造物は、前記盤面板における前記盤面板において前記流下領域を形成する遊技盤面と反対側の裏面から前記盤面板に形成される貫通孔に挿入することにより該盤面板に設けられ、該盤面板に設けた状態において前記遊技盤面と略面一をなす前面部を有し（例えば、第１誘導部材ユニット３００は、図５に示すように、盤面板２００の背面２００Ｂ側から挿入部３１０を第２孔部２０２に挿入し、各位置決め突起３２３を各位置決め孔３２４に嵌合して取付位置を決定した後、各取付孔３２０に取付けたネジＮ２をネジ孔３２１に螺入することで盤面板２００に取付けられ、挿入部３１０の前面３１０Ａは、盤面板２００に取付けたときに遊技盤面２００Ａとほぼ面一をなすようになっている。）、
前記第２構造物の突出部は、前記第１構造物の前面部に一部が重なるように配置される（例えば、第２誘導部材ユニット３０１が盤面板２００に取付けられたときに、取付壁部３５２の一部（左斜辺部）が、第２孔部２０２の右上斜辺部に沿うように前面３１０Ａの前側に重なって配置されることで、該第２孔部２０２の内周面と挿入部３１０との間に形成される隙間の一部が前面側から塞がれる。）
ことを特徴としている。
この特徴によれば、第１構造物の前面部と貫通孔との間に生じる隙間を塞ぐように突出部を設けることができ、これにより隙間を非流下領域とすることができるので、流下領域に前面部と遊技盤面との間に生じる段差が生じて遊技媒体の流下に影響を及ぶことを防止できる。
【００１３】
本発明の手段７の遊技機は、手段１〜６のいずれかに記載の遊技機であって、
前記構造物は、前記盤面板（例えば、盤面板２００）において前記流下領域（例えば、流下領域Ｚ）を形成する遊技盤面（例えば、遊技盤面２００Ａ）に対し突出する突出部（例えば、前壁部５０１）を有し、
第１構造物（例えば、第１誘導部材ユニット３００、第２誘導部材ユニット３０１など）と該第１構造物よりも前記突出部に遊技媒体が接触する頻度が高い位置に配置される第２構造物（例えば、センター飾り枠５１）とを含み、
前記第２構造物の取付部は、前記突出部から遊技盤面に沿うように延設され、前記盤面板に前記構造物を設けた状態において前記突出部により前記遊技盤面に形成される遊技媒体が流下しない非流下領域に配置される（例えば、取付壁部５０２は、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域）に該遊技盤面２００Ａに沿うように配置されている。）
ことを特徴としている。
この特徴によれば、遊技盤面を利用して突出部を安定して支持することができる。
【００１４】
本発明の手段８の遊技機は、手段１〜６のいずれかに記載の遊技機であって、
前記構造物は、前記盤面板（例えば、盤面板２００）において前記流下領域（例えば、流下領域Ｚ）を形成する遊技盤面（例えば、遊技盤面２００Ａ）に対し突出する突出部（例えば、前壁部５０１）を有し、
第１構造物（例えば、第１誘導部材ユニット３００や第２誘導部材ユニット３０１）と該第１構造物よりも前記突出部に遊技媒体が接触する頻度が高い位置に配置される第２構造物（例えば、第３誘導部材ユニット３０２など）とを含み、
前記第２構造物の取付部は、前記突出部の外周面の内側に設けられ、前記盤面板に前記構造物を設けた状態において該突出部に形成される遊技媒体が流下しない非流下領域に配置される（例えば、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。）
ことを特徴としている。
この特徴によれば、遊技盤面を利用して突出部を安定して支持することができる。
【００１５】
尚、本発明は、本発明の請求項に記載された発明特定事項のみを有するものであってもよいし、本発明の請求項に記載された発明特定事項とともに該発明特定事項以外の構成を有するものであってもよい。
【図面の簡単な説明】
【００１６】
【図１】実施例における遊技機を示す正面図である。
【図２】盤面板の要部を示す正面図である。
【図３】遊技盤を示す正面図である。
【図４】遊技盤の構成を斜め前から見た状態を示す分解斜視図である。
【図５】図４の要部を斜め前から見た状態を示す分解斜視図である。
【図６】図４の要部を斜め後ろから見た状態を示す分解斜視図である。
【図７】（Ａ）はセンター飾り枠を示す正面図、（Ｂ）は背面図である。
【図８】（Ａ）は盤面板の上部を示す背面図、（Ｂ）はセンター飾り枠が取付けられた盤面板の上部を示す背面図である。
【図９】（Ａ）は図３のＡ−Ａ断面図、（Ｂ）は（Ａ）の要部拡大図である。
【図１０】図３のＢ−Ｂ断面図である。
【図１１】特別可変入賞球装置及びその周辺を示す斜視図である。
【図１２】第１誘導部材ユニットが取付けられた盤面板の要部を示す背面図、（Ｂ）は（Ａ）の斜視図である。
【図１３】図３のＦ−Ｆ断面図である。
【図１４】（Ａ）は図３のＣ−Ｃ断面図、（Ｂ）は図３のＤ−Ｄ断面図である。
【図１５】図３のＥ−Ｅ断面図である。
【発明を実施するための形態】
【００１７】
本発明に係る遊技機を実施するための形態を実施例に基づいて以下に説明する。
【実施例】
【００１８】
まず、遊技機の一例であるパチンコ遊技機１の全体の構成について説明する。図１は、パチンコ遊技機を正面から見た正面図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１９】
図１は、本実施例におけるパチンコ遊技機の正面図であり、主要部材の配置レイアウトを示す。パチンコ遊技機（以下、遊技機と略記する場合がある）１は、大別して、遊技盤２（ゲージ盤ともいう）と、該遊技盤２を支持固定する遊技機用枠３（台枠とも言う）とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００２０】
図１及び図４に示すように、遊技盤２は、アクリル樹脂、ポリカーボネート樹脂、メタクリル樹脂等の透光性を有する合成樹脂材にて正面視略四角形状に形成され、前面である遊技盤面２００Ａに障害釘（図示略）やガイドレール２ｂ等が設けられた盤面板２００と、該盤面板２００の背面２００Ｂ側に一体的に取付けられるスペーサ部材２５０と、から主に構成されている。
【００２１】
遊技盤の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２２】
遊技盤における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２３】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２４】
演出表示装置５は、遊技盤よりも背面側に配設され、盤面板２００に形成された第１孔部２０１を通して視認できるようになっており、該第１孔部２０１には、枠状のセンター飾り枠５１が設けられている。
【００２５】
図１に示すように、演出表示装置５の表示領域の下部の左右２個所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２６】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２７】
第１特別図柄表示器４Ａ及び第２特別図柄表示器４Ｂの上方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２８】
普通入賞球装置６Ａは、例えば所定の球受部材によって常に一定の開放状態に保たれる始動領域（第１始動領域）としての第１始動入賞口を形成する。普通可変入賞球装置６Ｂは、ソレノイド（図示略）によって開閉駆動される可変入賞口扉６Ｃ（図１１参照）によって開放状態と閉鎖状態とに変化する第２始動入賞口を形成する。
【００２９】
第１始動入賞口を通過（進入）した遊技球が第１始動口スイッチ（図示略）によって遊技球が検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ（図示略）によって遊技球が検出されたことに基づき、所定個数（例えば３個）の遊技球が賞球として払い出され、第２特図保留記憶数が所定の上限値（例えば「４」）以下であれば、第２始動条件が成立する。
【００３０】
図１に示すように、普通入賞球装置６Ａの右方位置には、特別可変入賞球装置７が設けられている。特別可変入賞球装置７は、ソレノイド（図示略）によって開閉駆動される大入賞口扉７Ｂ（図１１参照）によって開放状態と閉鎖状態とに変化する特定領域としての大入賞口７Ａを形成する。このように、特定領域としての大入賞口７Ａは、遊技球が通過（進入）しやすく遊技者にとって有利な開放状態と、遊技球が通過（進入）できない（または通過（進入）しにくい）遊技者にとって不利な閉鎖状態とに変化する。
【００３１】
大入賞口７Ａを通過（進入）した遊技球がカウントスイッチ（図示略）によって検出されたことに基づき、所定個数（例えば１５個）の遊技球が賞球として払い出される。従って、特別可変入賞球装置７において大入賞口７Ａが開放状態となれば、その大入賞口７Ａに遊技球が進入可能となり、遊技者にとって有利な第１状態となる。その一方で、特別可変入賞球装置７において大入賞口７Ａが閉鎖状態となれば、大入賞口７Ａに遊技球を通過（進入）させて賞球を得ることが不可能または困難になり、遊技者にとって不利な第２状態となる。
【００３２】
第２保留表示器２５Ｂの上方位置には、普通図柄表示器２０が設けられている。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３３】
遊技領域１０の最下方には、いずれの入賞口にも進入しなかった遊技球が取り込まれるアウト口１１が設けられている。遊技機用枠３の左右上部位置には、効果音等を再生出力するためのスピーカ８Ｌ，８Ｒが設けられており、さらに遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３４】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。
【００３５】
次に、パチンコ遊技機１の回路構成について説明する。パチンコ遊技機１の背面には、例えば図示しない主基板、演出制御基板、音声制御基板、ＬＥＤ制御基板、主基板と演出制御基板との間で伝送される各種の制御信号を中継するための中継基板、払出制御基板、情報端子基板、発射制御基板、インタフェース基板などといった、各種の基板が配置されている。
【００３６】
主基板（図示略）は、メイン側の制御基板であり、パチンコ遊技機１における遊技の進行を制御するための各種回路が搭載されている。主基板は、主として、特図ゲームにおいて用いる乱数の設定機能、所定位置に配設されたスイッチ等からの信号の入力を行う機能、演出制御基板（図示略）などからなるサブ側の制御基板に宛てて、指令情報の一例となる制御コマンドを制御信号として出力して送信する機能、ホールの管理コンピュータに対して各種情報を出力する機能などを備えている。また、主基板は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板には、例えば遊技制御用マイクロコンピュータ（図示略）や、スイッチ回路（図示略）、ソレノイド回路などの各種回路が搭載されている。
【００３７】
主基板には、通過ゲート４１を通過した遊技球を検出するゲートスイッチ、第１始動口スイッチ、第２始動口スイッチ、カウントスイッチからの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３８】
主基板から中継基板を介して演出制御基板に対して伝送される制御コマンドは、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３９】
主基板に搭載された遊技制御用マイクロコンピュータは、例えば１チップのマイクロコンピュータであり、遊技制御用のプログラムや固定データ等を記憶するＲＯＭ（ReadOnlyMemory）と、遊技制御用のワークエリアを提供するＲＡＭ（RandomAccessMemory）と、遊技制御用のプログラムを実行して制御動作を行うＣＰＵ（CentralProcessingUnit）と、ＣＰＵとは独立して乱数値を示す数値データの更新を行う乱数回路と、Ｉ／Ｏ（Input/Outputport）と、を備えて構成される。一例として、遊技制御用マイクロコンピュータでは、ＣＰＵがＲＯＭから読み出したプログラムを実行することにより、パチンコ遊技機１における遊技の進行を制御するための処理が実行される。
【００４０】
演出制御基板（図示略）は、主基板とは独立したサブ側の制御基板であり、中継基板を介して主基板から伝送された制御信号を受信して、演出表示装置５、スピーカ８Ｌ，８Ｒ及び演出用ＬＥＤ９といった演出用の電気部品による演出動作を制御するための各種回路が搭載されている。
【００４１】
演出制御基板（図示略）には、プログラムに従って制御動作を行う演出制御用ＣＰＵと、演出制御用のプログラムや固定データ等を記憶するＲＯＭと、演出制御用ＣＰＵのワークエリアを提供するＲＡＭと、演出表示装置５における表示動作の制御内容を決定するための処理などを実行する表示制御部と、演出制御用ＣＰＵとは独立して乱数値を示す数値データの更新を行う乱数回路と、Ｉ／Ｏとが搭載されている。一例として、演出制御基板では、演出制御用ＣＰＵがＲＯＭから読み出した演出制御用のプログラムを実行することにより、演出用の電気部品による演出動作を制御するための処理が実行される。また、ＲＯＭには、演出制御用のプログラムの他にも、演出動作を制御するために用いられる各種のデータテーブルなどが格納されている。
【００４２】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの開放制御が行われ、所定時間が経過すると閉鎖制御が行われる。
【００４３】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４４】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４５】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。
【００４６】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。
【００４７】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。
【００４８】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可変入賞口扉６Ｃを開放する開放時間を通常状態のときよりも長くする制御、その開放回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。
【００４９】
次に、本実施例におけるパチンコ遊技機１の動作（作用）を説明する。主基板（図示略）では、所定の電源基板からの電力供給が開始されると、遊技制御用マイクロコンピュータ（図示略）が起動し、ＣＰＵ（図示略）によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００５０】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口７Ａの開閉動作設定などを、所定の手順で行うために各種の処理が選択されて実行される。
【００５１】
特別図柄プロセス処理において、ＣＰＵは、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００５２】
また、ＣＰＵは、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵは、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５３】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口７Ａを開閉させる処理を行う大当り開放前処理、大当り開放中処理、大当り開放後処理、大当り終了処理を行う。
【００５４】
次に、遊技盤２について、図３〜図１５に基づいて説明する。図３は、遊技盤を示す正面図である。図４は、遊技盤の構成を斜め前から見た状態を示す分解斜視図である。図５は、図４の要部を斜め前から見た状態を示す分解斜視図である。図６は、図４の要部を斜め後ろから見た状態を示す分解斜視図である。図７は、（Ａ）はセンター飾り枠を示す正面図、（Ｂ）は背面図である。図８は、（Ａ）は盤面板の上部を示す背面図、（Ｂ）はセンター飾り枠が取付けられた盤面板の上部を示す背面図である。図９は、（Ａ）は図３のＡ−Ａ断面図、（Ｂ）は（Ａ）の要部拡大図である。図１０は、図３のＢ−Ｂ断面図である。図１１は、特別可変入賞球装置及びその周辺を示す斜視図である。図１２は、第１誘導部材ユニットが取付けられた盤面板の要部を示す背面図、（Ｂ）は（Ａ）の斜視図である。図１３は、図３のＦ−Ｆ断面図である。図１４は、（Ａ）は図３のＣ−Ｃ断面図、（Ｂ）は図３のＤ−Ｄ断面図である。図１５は、図３のＥ−Ｅ断面図である。
【００５５】
図３〜図６に示すように、遊技盤２は、盤面板２００と、該盤面板２００の背面２００Ｂ側に一体的に取付けられるスペーサ部材２５０と、から主に構成されている。盤面板２００の厚さは約１０ｍｍ程度であり、全体が透明に形成されている。また、盤面板２００は、その前面側に該盤面板２００と略平行に配置されるガラス窓５０ａとの間に遊技領域１０を形成する。
【００５６】
尚、本実施例では盤面板２００全体が透明に形成されているが、当該盤面板２００の前面側からその背面側に配設される装飾体（図示略）等を透視可能な透光性部材にて形成されていれば、半透明であってもよいし、着色されていてもよい。また、全体が透光性を有していなくても、少なくとも遊技領域１０の一部に透光部が形成されていてもよい。
【００５７】
スペーサ部材２５０は、非透光性部材により正面視略四角枠状に形成され、盤面板２００の背面２００Ｂ周縁部が配置される取付部２５０Ａを有し、該取付部２５０Ａの前面部には、盤面板２００の位置を決定するための位置決め用ボスが複数突設されているとともに、取付ネジが螺入されるネジ孔を有する取付用ボスが複数突設されている。尚、スペーサ部材２５０における取付部２５０Ａの板厚は約１０ｍｍ程度とされているため、スペーサ部材２５０と盤面板２００とで板厚が約２０ｍｍの遊技盤２が形成されるようになっている。
【００５８】
盤面板２００には、背面側に配設される演出表示装置５の表示画面を前面側に臨ませるとともに、センター飾り枠５１がネジＮ１を介して取付けられる第１孔部２０１と、特別可変入賞球装置７及び普通可変入賞球装置６Ｂを有する第１誘導部材ユニット３００がネジＮ２を介して取付けられる第２孔部２０２と、普通入賞球装置６ＡがネジＮ３を介して取付けられる第３孔部２０３と、アウト口１１を形成する第４孔部２０４と、通過ゲート４１がネジＮ４を介して取付けられる第５孔部２０５と、一般入賞口形成部材１２Ａ〜１２ＣがネジＮ５を介して取付けられる第６孔部２０６Ａ〜２０６Ｃと、が前後方向に貫通して形成されている。
【００５９】
また、盤面板２００の前面である遊技盤面２００Ａには、遊技領域１０の周囲に設けられガイドレール２ｂが一体に設けられたレール飾り枠４００がネジＮ６を介して取付けられている。尚、一部のネジＮ６は、盤面板２００を挿通してスペーサ部材２５０のネジ孔（図示略）に螺入されている。また、遊技盤面２００Ａにおける第１誘導部材ユニット３００の右斜め上方位置には遊技球を誘導する第２誘導部材ユニット３０１がネジＮ７を介して取付けられ、遊技盤面２００Ａにおける一般入賞口形成部材１２Ａの左方位置には、遊技球を誘導する第３誘導部材ユニット３０２がネジＮ８を介して取付けられている。
【００６０】
図５〜図７に示すように、センター飾り枠５１は、アクリル樹脂、ポリカーボネート樹脂、メタクリル樹脂等の透光性を有する合成樹脂材にて形成され、枠状に形成される前壁部５０１と、前壁部５０１の後端から内側に向けて形成される取付壁部５０２と、取付壁部５０２の内周縁から後側に向けて枠状に形成される後壁部５０３と、左側下部に設けられるワープ通路５０４と、ワープ通路５０４により誘導された遊技球が供給されるステージ５０５と、を主に有する。ステージ５０５は、ワープ通路５０４から進入した遊技球を左右に転動させた後、前端辺から下方に落下可能に形成されている。また、背面には壁部（図１０参照）が形成されていて落下不能とされている。
【００６１】
特に図７（Ａ）（Ｂ）に示すように、取付壁部５０２から背面側に突出する後壁部５０３は、第１孔部２０１の開口周縁のやや内側を該開口周縁に沿うように枠状に形成され、該第１孔部２０１に挿入可能とされている。また、取付壁部５０２から前面側に突出する前壁部５０１は、ステージ５０５を除く上部及び左右側部においては取付壁部５０２を介して後壁部５０３の外側に配置される一方、下辺部において後壁部５０３と交差して該後壁部５０３の内側に配置されている。よって、取付壁部５０２の下辺部５０２Ａは、前壁部５０１よりも外側に配置されるとともに、前壁部５０１と後壁部５０３との間に形成された空間にステージ５０５が形成されている。
【００６２】
取付壁部５０２には、ネジＮ１を取付けるための取付孔５１０が複数個所に形成されており、該取付孔５１０に取付けたネジＮ１を盤面板２００に形成されたネジ孔５１１に螺入することで、センター飾り枠５１が盤面板２００に取付けられる。また、取付壁部５０２の背面における取付孔５１０の近傍には位置決め突起５１２が突設されており、該位置決め突起５１２を盤面板２００に形成された位置決め孔５１３に嵌合させることで、盤面板２００に対するセンター飾り枠５１の取付位置を決定できるようになっている。
【００６３】
このように構成されたセンター飾り枠５１は、図５に示すように、盤面板２００の前面側から後壁部５０３を第１孔部２０１に挿入し、各位置決め突起５１２を各位置決め孔５１３に嵌合して取付位置を決定した後、各取付孔５１０に取付けたネジＮ１をネジ孔５１１に螺入することで、盤面板２００に取付けられる。
【００６４】
図３に示すように、センター飾り枠５１を第１孔部２０１に取付けると、遊技盤面２００Ａにおいてガイドレール２ｂにより囲まれた遊技領域１０（図３において網点で示す領域）におけるガイドレール２ｂとセンター飾り枠５１の前壁部５０１との間に、遊技球Ｐが流下可能な流下領域Ｚ（図３において網点と斜線で示す領域）が形成される。
【００６５】
具体的には、遊技盤２の右下方に設けられる図示しない発射装置から打ち出された遊技球Ｐは、発射球通路４０１を上方に向けて移動して遊技領域１０の左上部へ誘導される。そして、遊技者が打球操作ハンドルを第１操作した場合、遊技領域１０に進入した遊技球Ｐはセンター飾り枠５１の左側の第１経路Ｋ１を流下し、遊技者が打球操作ハンドルを第１操作よりも発射強度が強くなる第２操作した場合、遊技領域１０に進入した遊技球Ｐはセンター飾り枠５１の右側の第２経路Ｋ２を流下するようになっている。
【００６６】
図９及び図１０に示すように、センター飾り枠５１の前壁部５０１は、センター飾り枠５１が盤面板２００に取付けられたときに遊技盤面２００Ａに対し前方に向けて突出するように立設されることで、遊技領域１０に打ち込まれた遊技球Ｐに接触可能に設けられる構造物の突出部を構成し、センター飾り枠５１の内側への遊技球Ｐの進入を規制する。特に図９（Ｂ）に示すように、前壁部５０１は、後端から前端に向けて外側、つまり、遊技球Ｐの流下領域Ｚ側へ向けて所定角度θ１（例えば、約５度）傾斜しているので、接触した遊技球Ｐが遊技盤面２００Ａ側へ向けて跳ね返るようになる。このようにすることで、例えば、遊技球Ｐがガラス窓５０ａに接触してガラス窓５０ａを傷つけたり接触音が生じることを抑制できる。特に、ガラス窓５０ａがアクリル樹脂、ポリカーボネート樹脂、メタクリル樹脂等の透光性を有する合成樹脂板にて形成される場合においては、透明板に傷がついて遊技領域１０の視認性が低下することが抑制される。
【００６７】
また、取付壁部５０２は、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域（図３において網点のみで示す領域））に該遊技盤面２００Ａに沿うように配置されている。よって、センター飾り枠５１を盤面板２００に取付けるための取付壁部５０２が遊技球Ｐの流下領域に配置されることで、遊技球Ｐに接触して流下（移動）に影響を及ぶことを防止できる。
【００６８】
具体的には、例えば、取付壁部５０２の下辺部５０２Ａのように、前壁部５０１の外側の流下領域Ｚに配置されている場合、遊技盤面２００Ａとの間に前壁部５０１の板厚分の段差が生じ、遊技盤面２００Ａに沿って流下してきた遊技球Ｐがこの段差にぶつかってガラス窓５０ａ側に弾かれて移動軌跡が変わってしまうことがあるが、本実施例の取付壁部５０２のように、前壁部５０１の内側の非流下領域に配置されることで、流下領域Ｚに段差を形成しないで済む。
【００６９】
尚、本実施例では、取付壁部５０２の下辺部５０２Ａは、ステージ５０５の前端から下方へ垂下されているため、ステージ５０５との間に段差はなく、また、側方や下方から遊技球Ｐが移動してくることはないので、上記のように段差により遊技球Ｐの流下に影響が及ぶことは少ない。言い換えると、センター飾り枠５１の下部を除く上部や左右側部において、取付壁部５０２が前壁部５０１の外側の流下領域Ｚに配置されていると、取付壁部５０２の外周縁部、つまり、段差が取付壁部５０２の上方や左右側方に形成され、該段差により遊技球Ｐの流下に影響が及びやすくなるので、センター飾り枠５１の下部を除く上部や左右側部においては、取付壁部５０２は前壁部５０１の内側の流下領域Ｚ以外の個所に配置されていることが好ましい。
【００７０】
さらに、センター飾り枠５１の左上部における前壁部５０１の外周には、発射球通路４０１から進入し衝突した遊技球Ｐを第１経路Ｋ１へ誘導する左斜め下方を向く誘導傾斜面４０２が形成されている。この誘導傾斜面４０２は、前壁部５０１において遊技球Ｐが衝突する機会が最も多い個所であり、左側方から移動してくる遊技球Ｐが衝突する。このように、遊技球Ｐが左側方から移動してくる個所においても取付壁部５０２は前壁部５０１の内側に配置されているため、段差により遊技球Ｐの流下に影響を及ぼすことを抑制できる。
【００７１】
また、取付壁部５０２が前壁部５０１の外側の流下領域Ｚに形成されないことで、流下領域Ｚにおける前壁部５０１の近傍にも障害釘（図示略）を配置することができるため、ゲージの設計自由度が向上する。さらに、本実施例では、盤面板２００が透光性部材にて構成されているが、該盤面板２００の背面２００Ｂ側に演出表示装置５の一部や装飾体（図示略）等が盤面板２００の前面側から透視可能に配置されている場合、取付壁部５０２により視認が妨げられることを抑制できる。
【００７２】
また、取付壁部５０２は、遊技盤面２００Ａにおける非流下領域に平面を当接させた状態で取付けられるため、前壁部５０１を安定して支持することができる。また、取付壁部５０２における取付孔５１０の近傍は、取付孔５１０や位置決め突起５１２がない場所に比べて遊技盤面２００Ａとの当接面積が大きくなっていることで、盤面板２００に安定して取付けられるとともに、取付孔５１０や位置決め突起５１２がない場所は遊技盤面２００Ａとの当接面積が小さいので、流下領域を極力占有しないようにすることができる。
【００７３】
また、取付壁部５０２の内周縁部から後壁部５０３が後側に向けて屈曲して形成されることで、前壁部５０１と取付壁部５０２のみよりセンター飾り枠５１を形成する場合に比べてセンター飾り枠５１の強度が向上する。また、後壁部５０３は、第１孔部２０１に挿入されたときに該第１孔部２０１の内周面と後壁部５０３の外周面との間に隙間が形成されることで、前壁部５０１に遊技球Ｐが衝突したときに生じる振動が盤面板２００に伝達されにくくなるので、盤面板２００に生じる振動を抑制することができるとともに、第１孔部２０１の内周面と後壁部５０３の外周面とが振動により擦れることにより削られた樹脂の粉が噴き出て盤面板２００に付着し、見栄えが悪くなることを抑制できる。
【００７４】
次に、第１誘導部材ユニット３００、第２誘導部材ユニット３０１及び第３誘導部材ユニット３０２について、図５、図６、図１１〜図１５に基づいて説明する。
【００７５】
図５、図６、図１１〜図１５に示すように、第１誘導部材ユニット３００は、アクリル樹脂、ポリカーボネート樹脂、メタクリル樹脂等の透光性を有する合成樹脂材にて、後面が開口する箱状に形成され、第２孔部２０２に挿入可能に形成される挿入部３１０と、挿入部３１０の前面に突設された突出部３１１と、挿入部３１０の後端から外方に広がるように形成された取付壁部３１２と、を有する。
【００７６】
取付壁部３１２には、ネジＮ２を取付けるための取付孔３２０が複数個所に形成されており、該取付孔３２０に取付けたネジＮ２を盤面板２００の背面２００Ｂに形成されたネジ孔３２１に螺入することで、第１誘導部材ユニット３００が盤面板２００に取付けられる。また、取付壁部３１２の前面における取付孔３２０の近傍には位置決め突起３２３が突設されており、該位置決め突起３２３を盤面板２００に形成された位置決め孔３２４に嵌合させることで、盤面板２００に対する第１誘導部材ユニット３００の取付位置を決定できるようになっている。
【００７７】
挿入部３１０は、正面視において第２孔部２０２よりやや小さく形成され、第２孔部２０２に挿入されたときに外周面と第２孔部２０２の内周面との間に隙間が形成されるようになっている。このように隙間が形成されることで、突出部３１１に遊技球Ｐが衝突したときに生じる振動が盤面板２００に伝達されにくくなるので、盤面板２００に生じる振動を抑制することができるとともに、挿入部３１０外周面と第２孔部２０２の内周面とが振動により擦れることにより削られた樹脂の粉が噴き出て盤面板２００に付着し、見栄えが悪くなることを抑制できる。
【００７８】
また、挿入部３１０の前面３１０Ａは平坦状に形成され、盤面板２００に取付けたときに遊技盤面２００Ａとほぼ面一をなすようになっている。また、前面３１０Ａの左側には大入賞口７Ａが形成され、該大入賞口７Ａは、特別可変入賞球装置７の大入賞口扉７Ｂにより開閉可能とされている。特に図示しないが、この大入賞口７Ａの背面側に該大入賞口７Ａに進入した遊技球Ｐを誘導する通路やソレノイド等の特別可変入賞球装置７を構成するユニットが配設される。
【００７９】
突出部３１１は、挿入部３１０の前面３１０Ａに対し前方に突設され、流下領域を流下する遊技球Ｐに接触可能に設けられている。突出部３１１の上面には、右側から左側へ向けて下方に傾斜する誘導通路３１３が形成されており、該誘導通路３１３には、第２始動入賞口を開閉可能とする可変入賞口扉６Ｃが、遊技盤面２００Ａから背面側に退避する退避位置と前方に突出する突出位置との間でスライド移動可能に設けられている。
【００８０】
よって、誘導通路３１３へ誘導された遊技球Ｐは、誘導通路３１３の右側から左側へ誘導された後、左側端部から落下し、大入賞口７Ａが開放状態であるときは大入賞口７Ａに進入する。また、可変入賞口扉６Ｃが開放状態であるときは第２始動入賞口に進入する。
【００８１】
このように構成された第１誘導部材ユニット３００は、図５に示すように、盤面板２００の背面２００Ｂ側から挿入部３１０を第２孔部２０２に挿入し、各位置決め突起３２３を各位置決め孔３２４に嵌合して取付位置を決定した後、各取付孔３２０に取付けたネジＮ２をネジ孔３２１に螺入することで、盤面板２００に取付けられる。
【００８２】
そして、図１２及び図１３に示すように、取付壁部３１２は、第１誘導部材ユニット３００が盤面板２００に取付けられた状態において、盤面板２００の背面２００Ｂ、つまり、流下領域Ｚ以外の個所（遊技盤面２００Ａ以外の個所）である盤面板２００の背面２００Ｂに沿うように配置されている。このように、センター飾り枠５１を盤面板２００に取付けるための取付壁部３１２が、遊技球Ｐが流下しない背面２００Ｂに配置されることで、遊技球Ｐに接触して流下（移動）に影響を及ぶことを防止できる。また、遊技盤面２００Ａに取付壁部３１２の配置スペースを確保する必要がないので、流下領域の設計自由度が向上する。
【００８３】
尚、本実施例では、突出部３１１は挿入部３１０の前面３１０Ａの一部に突設されていたが、全域、つまり、挿入部３１０全体が遊技盤面２００Ａより前方に突出するように形成されていてもよい。
【００８４】
次に、第２誘導部材ユニット３０１及び第３誘導部材ユニット３０２について、図５、図６、図１１〜図１５に基づいて説明する。
【００８５】
図５、図６、図１１〜図１５に示すように、第２誘導部材ユニット３０１は、アクリル樹脂、ポリカーボネート樹脂、メタクリル樹脂等の透光性を有する合成樹脂材にて、後面が開口する箱状に形成され、板状部材により枠状に形成される突出部３５１と、枠状に形成された突出部３５１の後面開口を閉鎖するように設けられる取付壁部３５２と、を有する。
【００８６】
取付壁部３５２には、ネジＮ７を取付けるための取付孔３６０が上下２個所に形成されており、該取付孔３６０に取付けたネジＮ７を盤面板２００の遊技盤面２００Ａに形成されたネジ孔３６１に螺入することで、第２誘導部材ユニット３０１が盤面板２００に取付けられる。また、取付壁部３５２の背面における取付孔３６０の近傍には位置決め突起３６３が突設されており、該位置決め突起３６３を盤面板２００に形成された位置決め孔３６４に嵌合させることで、盤面板２００に対する第２誘導部材ユニット３０１の取付位置を決定できるようになっている。
【００８７】
突出部３５１は、遊技盤面２００Ａに対し突出するように設けられ、突出部３５１の上面には、右側から左側へ向けて下方に傾斜する第１誘導通路３５１Ａと、第１誘導通路３５１Ａの下方に段違いに配置される第２誘導通路３５１Ｂと、が形成されている。よって、第１誘導通路３５１Ａへ誘導された遊技球Ｐは、第１誘導通路３５１Ａの右側から左側へ誘導された後に左側端部から落下し、第２誘導通路３５１Ｂの右側から左側へ誘導された後に左側端部から落下する。そして、下方の突出部３５１の第１誘導通路３５１Ａの右端または該第１誘導通路３５１Ａの右側へ落下する。第１誘導通路３５１Ａの右側へ落下した遊技球Ｐは、突出部３５１とガイドレール２ｂとの間に形成された誘導通路を通過してアウト口１１へ誘導される。
【００８８】
このように構成された第２誘導部材ユニット３０１は、図５に示すように、盤面板２００の遊技盤面２００Ａ側から、各位置決め突起３６３を各位置決め孔３６４に嵌合して取付位置を決定した後、各取付孔３６０に取付けたネジＮ７をネジ孔３６１に螺入することで、盤面板２００に取付けられる。
【００８９】
そして、図１４（Ａ）及び図１５に示すように、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。このように、第２誘導部材ユニット３０１を盤面板２００に取付けるための取付壁部３５２が、遊技球Ｐの流下領域Ｚ以外の個所に配置されることで、遊技球Ｐに接触して流下（移動）に影響を及ぶことを防止できる。また、遊技盤面２００Ａに取付壁部３５２の配置スペースを確保する必要がないので、流下領域の設計自由度が向上する。
【００９０】
また、特に図１５に示すように、第２誘導部材ユニット３０１が盤面板２００に取付けられたときに、取付壁部３５２の一部（左斜辺部）が、第２孔部２０２の右上斜辺部に沿うように前面３１０Ａの前側に重なって配置されることで、該第２孔部２０２の内周面と挿入部３１０との間に形成される隙間の一部が前面側から塞がれる。これにより隙間を非流下領域とすることができるので、流下領域に前面３１０Ａと遊技盤面２００Ａとの間に生じる段差が生じて遊技球Ｐの流下に影響を及ぶことを防止できる。
【００９１】
尚、第３誘導部材ユニット３０２は、図３に示す第１経路Ｋ１を流下してきた遊技球Ｐを右側へ向けて誘導する誘導通路を上面に有する構造物であり、第２誘導部材ユニット３０１と形状が異なるだけで構成や機能はほぼ同様であるため、詳細な説明は省略する。
【００９２】
以上説明したように、本発明の実施例におけるパチンコ遊技機１にあっては、遊技球Ｐが流下する流下領域Ｚを形成する盤面板２００と、盤面板２００に設けられる構造物（例えば、センター飾り枠５１、第１誘導部材ユニット３００、第２誘導部材ユニット３０１、第３誘導部材ユニット３０２）と、を備え、前記構造物は、流下領域Ｚを流下する遊技球Ｐに接触可能に配置され、盤面板２００に取付けるための取付部（例えば、取付壁部５０２、取付壁部３１２、取付壁部３５２）を有し、前記取付部は、盤面板２００に各構造物を設けた状態において流下領域Ｚ以外の個所に配置される。
【００９３】
例えば、取付壁部５０２は、センター飾り枠５１が盤面板２００に取付けられた状態において、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域）に該遊技盤面２００Ａに沿うように配置されている。また、取付壁部３１２は、第１誘導部材ユニット３００が盤面板２００に取付けられた状態において、盤面板２００の背面２００Ｂ、つまり、流下領域以外の個所（遊技盤面２００Ａ以外の個所）である盤面板２００の背面２００Ｂに沿うように配置されている。また、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。
【００９４】
このようにすることで、各構造物（センター飾り枠５１、第１誘導部材ユニット３００、第２誘導部材ユニット３０１、第３誘導部材ユニット３０２）を盤面板２００に取付けるための取付部（例えば、取付壁部５０２、取付壁部３１２、取付壁部３５２）に遊技球Ｐが接触して遊技球Ｐの流下に影響を及ぶことを防止できる。また、各取付壁部５０２，３１２，３５２が流下領域Ｚ以外の個所に配置されることで、流下領域Ｚに設けられる障害釘（図示略）や各種入賞口等の設置自由度が向上する。
【００９５】
尚、センター飾り枠５１、第１誘導部材ユニット３００、第２誘導部材ユニット３０１、第３誘導部材ユニット３０２等の盤面板２００に設けられる構造物とは、盤面板２００に取付けたときに遊技盤面２００Ａに対し突出し、流下領域Ｚを流下する遊技球Ｐに接触可能に配置される突出部を少なくとも有するものであればよい。つまり、衝突した遊技球Ｐを所定方向へ誘導する障害物であればよく、突出部には、入賞口形成部材や通過ゲート４１だけでなく、風車等も含む。
【００９６】
また、本実施例では、第１誘導部材ユニット３００は、盤面板２００において流下領域Ｚを形成する遊技盤面２００Ａと反対側の背面２００Ｂから第２孔部２０２に挿入することにより該盤面板２００に設けられ、取付壁部３１２は、第１誘導部材ユニット３００が盤面板２００に取付けられた状態において、盤面板２００の背面２００Ｂ、つまり、流下領域以外の個所（遊技盤面２００Ａ以外の個所）である盤面板２００の背面２００Ｂに沿うように配置されている。このようにすることで、第１誘導部材ユニット３００を盤面板２００に取付けるための取付壁部３１２に遊技球Ｐが接触して流下に影響を及ぶことを防止できる。また、遊技盤面２００Ａに取付壁部３１２の配置スペースを確保する必要がないので、流下領域Ｚの設計自由度が向上する。
【００９７】
また、本実施例では、センター飾り枠５１は、盤面板２００において流下領域Ｚを形成する遊技盤面２００Ａに対し突出する突出部としての前壁部５０１を有し、取付壁部５０２は、センター飾り枠５１が盤面板２００に取付けられた状態において、下辺部５０２Ａのように前壁部５０１の外側、つまり、流下領域に配置されている部分を除いて、前壁部５０１の内側、つまり、遊技盤面２００Ａにおける流下領域Ｚ以外の個所（前壁部５０１により遊技盤面２００Ａに形成される非流下領域）に該遊技盤面２００Ａに沿うように配置されていることで、センター飾り枠５１を盤面板２００に取付けるための取付壁部５０２に遊技球Ｐが接触して流下に影響を及ぶことを防止できる。
【００９８】
また、取付壁部５０２は、前壁部５０１の後端から遊技盤面２００Ａに沿うように屈曲形成され、該遊技盤面２００Ａに対し当接する当接面を有する板状に形成されていることで、前壁部５０１を安定して支持することができる。
【００９９】
また、本実施例では、構造物としてのセンター飾り枠５１は、第１孔部２０１に挿入される後壁部５０３を有していたが、本発明はこれに限定されるものではなく、少なくとも突出部としての前壁部５０１と取付部としての取付壁部５０２とを有していれば、必ずしも後壁部５０３は形成されていなくてもよい。
【０１００】
また、本実施例では、取付壁部５０２は前壁部５０１に沿って枠状に形成されていたが、本発明はこれに限定されるものではなく、取付壁部５０２は前壁部５０１の一部に部分的に形成されていてもよい。
【０１０１】
また、本実施例では、第２誘導部材ユニット３０１は、盤面板２００において流下領域Ｚを形成する遊技盤面２００Ａに対し突出する突出部３５１を有し、取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されていることで、第１誘導部材ユニット３００を盤面板２００に取付けるための取付壁部３５２に遊技球Ｐが接触して流下に影響を及ぶことを防止できる。
【０１０２】
また、取付壁部３５２は、突出部３５１の後面を覆うように形成され、遊技盤面２００Ａに対し当接する当接面を有する板状に形成されていることで、突出部３５１を安定して支持することができる。また、突出部３５１は、前面が開口する枠状に形成されており、該前面開口からネジＮ７を取付けることができるので、第２誘導部材ユニット３０１を遊技盤面２００Ａの任意の個所に前面側から容易に取付けることができる。
【０１０３】
また、本実施例では、第１構造物としての第１誘導部材ユニット３００と該第１構造物に隣接する第２構造物としての第２誘導部材ユニット３０１とを含み、第１誘導部材ユニット３００の取付壁部３１２は、第１誘導部材ユニット３００が盤面板２００に取付けられた状態において、盤面板２００の背面２００Ｂ、つまり、遊技盤面２００Ａ以外の個所である盤面板２００の背面２００Ｂに沿うように配置され、第２誘導部材ユニット３０１の取付壁部３５２は、第２誘導部材ユニット３０１が盤面板２００に取付けられた状態において、突出部３５１を構成する板状壁により囲まれて遊技球Ｐの進入が規制されることで遊技球Ｐが流下しない板状壁の内側の非流下領域に配置されている。このようにすることで、複数の構造物を隣接して配置できるとともに、第１誘導部材ユニット３００と第２誘導部材ユニット３０１とを盤面板２００に取付けるための取付壁部に遊技球Ｐが接触して流下に影響を及ぶことを防止できる。
【０１０４】
また、本実施例では、第１構造物としての第１誘導部材ユニット３００と該第１構造物に隣接する第２構造物としての第２誘導部材ユニット３０１とを含み、第１誘導部材ユニット３００は、図５に示すように、盤面板２００の背面２００Ｂ側から挿入部３１０を第２孔部２０２に挿入し、各位置決め突起３２３を各位置決め孔３２４に嵌合して取付位置を決定した後、各取付孔３２０に取付けたネジＮ２をネジ孔３２１に螺入することで盤面板２００に取付けられ、挿入部３１０の前面３１０Ａは、盤面板２００に取付けたときに遊技盤面２００Ａとほぼ面一をなすようになっている。そして、第２誘導部材ユニット３０１が盤面板２００に取付けられたときに、取付壁部３５２の一部（左斜辺部）が、第２孔部２０２の右上斜辺部に沿うように前面３１０Ａの前側に重なって配置されることで、該第２孔部２０２の内周面と挿入部３１０との間に形成される隙間の一部が前面側から塞がれる。
【０１０５】
このようにすることで、第１誘導部材ユニット３００の前面３１０Ａと第２孔部２０２との間に生じる隙間を塞ぐように突出部３５１を設けることができ、これにより隙間を非流下領域とすることができるので、流下領域に前面３１０Ａと遊技盤面２００Ａとの間に生じる段差が生じて遊技球Ｐの流下に影響を及ぶことを防止できる。
【０１０６】
また、本実施例では、第１構造物（例えば、第１誘導部材ユニット３００、第２誘導部材ユニット３０１など）よりも遊技球Ｐが接触する頻度が高い位置に配置される第２構造物（例えば、センター飾り枠５１）にあっては、取付壁部５０２を、前壁部５０１の内側、つまり、遊技盤面２００Ａにおける流下領域Ｚ以外の個所である非流下領域に配置することが好ましい。
【０１０７】
ここで、通常遊技状態においては、第１操作により第１経路Ｋ１を遊技球Ｐが流下することが多いため、この第１経路Ｋ１に配置されている第２構造物としてのセンター飾り枠５１は、第２操作が行われたときに遊技球Ｐが流下する第２経路Ｋ２に配置されている第１構造物としての第１誘導部材ユニット３００や第２誘導部材ユニット３０１に比べて、遊技球Ｐが接触する機会が多い部材である。よって、取付壁部５０２を、遊技盤面２００Ａにおける流下領域Ｚ以外の個所である非流下領域に配置することで、センター飾り枠５１の前壁部５０１を、遊技盤面２００Ａを利用して安定して支持することができる。
【０１０８】
また、本実施例では、第１経路Ｋ１に配置されている第２構造物としての第３誘導部材ユニット３０２は、第２経路Ｋ２に配置されている第１構造物としての第１誘導部材ユニット３００や第２誘導部材ユニット３０１に比べて、遊技球Ｐが接触する機会が多い部材であるため、第３誘導部材ユニット３０２を盤面板２００に取付けた状態において、第３誘導部材ユニット３０２の取付壁部は、突出部３５１を構成する板状壁により囲まれて遊技球Ｐの進入が規制されている板状壁の内側の領域、つまり、流下領域Ｚ以外の非流下領域に配置されることが好ましい。このようにすることで、第３誘導部材ユニット３０２の突出部を、遊技盤面２００Ａを利用して安定して支持することができる。
【０１０９】
すなわち、上記のように遊技球Ｐが衝突する頻度が他よりも高い構造物にあっては、第１誘導部材ユニット３００のように、取付壁部３１２を背面２００Ｂに配置するよりも、センター飾り枠５１の取付壁部５０２や第２誘導部材ユニット３０１の取付壁部３５２のように、遊技盤面２００Ａにおける非流下領域に配置する方が、遊技球Ｐが接触する部分により近い位置で取付固定することができるため、安定性が向上する。
【０１１０】
また、本実施例では、ガラス窓５０ａとともに遊技球Ｐが流下する流下領域Ｚを形成する盤面板２００は、透光性部材にて構成されていたが、本発明はこれに限定されるものではなく、ベニヤ板等の非透光性部材にて構成されていてもよい。
【０１１１】
また、本実施例では、流下領域Ｚを流下する遊技球Ｐに接触可能に盤面板２００に取付けられる構造物として、センター飾り枠５１、第１誘導部材ユニット３００、第２誘導部材ユニット３０１、第３誘導部材ユニット３０２を例示した形態を記載したが、本発明はこれに限定されるものではなく、これら以外の構造物（例えば、始動入賞口や一般入賞口を形成する入賞口形成部材や通過ゲート４１など）に本発明を適用してもよい。
【０１１２】
また、本実施例では、構造物を盤面板２００に取付けるための取付部として、遊技盤面２００Ａ上に配置される取付壁部５０２及び取付壁部３５２と、背面２００Ｂ上に配置される取付壁部３１２を例示した形態を記載したが、本発明はこれに限定されるものではなく、流下領域Ｚ以外の個所に配置されるようになっていれば、例えば、センター飾り枠５１において、第１孔部２０１に挿入される後壁部５０３を取付部とし、後壁部５０３の内側から第１孔部２０１の内周面にネジを取付けて固定するようにしてもよい。つまり、取付部としての後壁部５０３が第１孔部２０１の内周面に配置されるようにしてもよい。
【０１１３】
また、構造物の突出部は、センター飾り枠５１の前壁部５０１や突出部３５１のように枠状に形成されていてもよいし、突出部３１１のように膨出部や凸部にて形成されていてもよい。また、形状や配置位置も実施例に記載したものに限定されるものではなく、種々に変更可能である。
【０１１４】
また、本実施例では、取付部としての各取付壁部５０２，３１２，３５２は、ネジにより盤面板２００に取付けられていたが、本発明はこれに限定されるものではなく、接着剤や溶着により盤面板２００に取付けられていてもよい。
【０１１５】
また、本実施例では、取付部としての各取付壁部５０２，３１２，３５２は、ネジ孔が形成される板状片にて形成され、遊技盤面２００Ａや背面２００Ｂに当接可能に配置されていたが、本発明はこれに限定されるものではなく、上記のように板状の部位に限定されるものではなく、例えば、前壁部５０１の内周面の所定箇所に突設され、前後方向を向くネジ孔を有するボス（筒状部、柱状部）等であってもよい。
【０１１６】
以上、本発明の実施例を図面により説明してきたが、具体的な構成はこれら実施例に限られるものではなく、本発明の要旨を逸脱しない範囲における変更や追加があっても本発明に含まれる。
【０１１７】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０１１８】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【符号の説明】
【０１１９】
１                パチンコ遊技機
２００    盤面板
２００Ａ  遊技盤面
２００Ｂ  背面
２０１    第１孔部
２０２    第２孔部
３００    第１誘導部材ユニット
３０１    第２誘導部材ユニット
３５２    取付壁部
３１２    取付壁部
３１１    突出部
５０１    前壁部
５０２    取付壁部
５０２Ａ  下辺部
５０３    後壁部
【図１】
0006675233.tif 000002
【図２】
0006675233.tif 000003
【図３】
0006675233.tif 000004
【図４】
0006675233.tif 000005
【図５】
0006675233.tif 000006
【図６】
0006675233.tif 000007
【図７】
0006675233.tif 000008
【図８】
0006675233.tif 000009
【図９】
0006675233.tif 000010
【図１０】
0006675233.tif 000011
【図１１】
0006675233.tif 000012
【図１２】
0006675233.tif 000013
【図１３】
0006675233.tif 000014
【図１４】
0006675233.tif 000015
【図１５】
0006675233.tif 000016